(57)【要約】【課題】  縦型無端コンベアのコンベア前面部とコンベア後面部との間のコンベア空間に撹拌物を取り込み、そこでも撹拌することが可能で、撹拌効率を従来に比して飛躍的に向上させることができる撹拌機を提供する。【解決手段】  多数の撹拌羽根４を、それらの間に撹拌物が通過できる間隙５をもって無端チェーン６により連接する。コンベア前面部１ｆでは撹拌羽根により撹拌物が掻き下げられるとともに、一部が撹拌羽根の間の間隙を通り抜けてコンベア前面部１ｆとコンベア後面部１ｂとの間のコンベア空間１３に入り込み、このコンベア空間内では、縦型無端コンベアのコンベア前面部とコンベア後面部との上下逆方向の移送により撹拌物が掻き回され、コンベア後面部では、コンベア空間内の撹拌物が撹拌羽根の間の間隙を通り抜けるとともに、撹拌羽根により掻き上げられる。【選択図】  図３
2005349370.tif 000002
【特許請求の範囲】
【請求項１】
多数の撹拌羽根を上下に間隔をおいて設けた縦型無端コンベアを、循環させながら全体を移動させ、縦型無端コンベアのコンベア前面部では撹拌羽根により撹拌物を掻き下げ、コンベア後面部では撹拌羽根により掻き上げて撹拌しながら搬送する撹拌機において、前記多数の撹拌羽根を、それらの間に撹拌物が通過できる間隙をもって無端チェーンにより連接し、縦型無端コンベアのコンベア前面部では撹拌羽根により撹拌物が掻き下げられるとともに、一部が撹拌羽根の間の間隙を通り抜けて縦型無端コンベアのコンベア前面部とコンベア後面部との間のコンベア空間に入り込み、このコンベア空間内では、縦型無端コンベアのコンベア前面部とコンベア後面部との上下逆方向の移送により撹拌物が掻き回され、縦型無端コンベアのコンベア後面部では、コンベア空間内の撹拌物が撹拌羽根の間の間隙を通り抜けるとともに、撹拌羽根により掻き上げられることを特徴とする撹拌機。
【請求項２】
撹拌羽根は、無端チェーンに水平に架設された横長板に、複数の掻取片を横長板の長手方向に間隔をおいて固定したものであることを特徴とする請求項１記載の撹拌機。
【請求項３】
横長板が断面逆Ｌ形、掻取片が山形で、掻取片が横長板の水平部上に固定されていることを特徴とする請求項２記載の撹拌機。
【発明の詳細な説明】
【技術分野】
【０００１】
本発明は、発酵処理物等を撹拌する撹拌機、特に、多数の撹拌羽根を上下に間隔をおいて設けた縦型無端コンベアを、循環させながら全体を移動させ、縦型無端コンベアのコンベア前面部では撹拌羽根により撹拌物を掻き下げ、コンベア後面部では撹拌羽根により掻き上げて撹拌する撹拌機に関する。
【背景技術】
【０００２】
従来のこの種の撹拌機は、チェーン駆動式のものとベルト駆動式のものがあるが、チェーン駆動式のものでは、例えば特許文献１（特開平１０−４３７２５号公報）に記載されているように、縦型無端コンベアのコンベア前面部及びコンベア後面部ともに、多数の撹拌羽根が上下に密に連接され、全面が隙間無く閉じられており、またベルト駆動式のものでは、例えば特許文献２（特開平１１−４７７２２号公報）に記載されているように、ベルトの表面に多数の羽根を突設したものであるため、縦型無端コンベアのコンベア前面部及びコンベア後面部ともに、全面がベルト自体により閉じられている。
【０００３】
すなわち、従来は、チェーン駆動式でも、またベルト駆動式でも、縦型無端コンベアのコンベア前面部で撹拌物を掻き下げ、コンベア後面部で掻き上げて撹拌することしか考えが無く、コンベア前面部とコンベア後面部との間のコンベア空間に撹拌物を取り込み、そこでも撹拌するということは行っていなかった。
【特許文献１】特開平１０−４３７２５号公報
【特許文献２】特開平１１−４７７２２号公報
【発明の開示】
【発明が解決しようとする課題】
【０００４】
そこで、本発明の課題は、縦型無端コンベアのコンベア前面部とコンベア後面部との間のコンベア空間に撹拌物を取り込み、そこでも撹拌することが可能で、撹拌効率を従来に比して飛躍的に向上させることができる撹拌機を提供することにある。
【課題を解決するための手段】
【０００５】
本発明の撹拌機は、多数の撹拌羽根を、それらの間に撹拌物が通過できる間隙をもって無端チェーンにより連接し、縦型無端コンベアのコンベア前面部では撹拌羽根により撹拌物が掻き下げられるとともに、一部が撹拌羽根の間の間隙を通り抜けて縦型無端コンベアのコンベア前面部とコンベア後面部との間のコンベア空間に入り込み、このコンベア空間内では、縦型無端コンベアのコンベア前面部とコンベア後面部との上下逆方向の移送により撹拌物が掻き回され、縦型無端コンベアのコンベア後面部では、コンベア空間内の撹拌物が撹拌羽根の間の間隙を通り抜けるとともに、撹拌羽根により掻き上げられるようにしたものある。
【０００６】
各撹拌羽根は、無端チェーンに水平に架設された横長板に、複数の掻取片を横長板の長手方向に間隔をおいて固定したものである。この場合、横長板を断面逆Ｌ形、掻取片を山形として、掻取片を横長板の水平部上に固定すると良い。
【発明の効果】
【０００７】
本発明によると、縦型無端コンベアのコンベア前面部では撹拌羽根により撹拌物が掻き下げられるとともに、一部が撹拌羽根の間の間隙を通り抜けて縦型無端コンベアのコンベア前面部とコンベア後面部との間のコンベア空間に入り込み、このコンベア空間内では、縦型無端コンベアのコンベア前面部とコンベア後面部との上下逆方向の移送により撹拌物が掻き回され、縦型無端コンベアのコンベア後面部では、コンベア空間内の撹拌物が撹拌羽根の間の間隙を通り抜けるとともに、撹拌羽根により掻き上げられるので、撹拌効率が従来に比して飛躍的に向上する。
【発明を実施するための最良の形態】
【０００８】
次に、本発明の実施例を図面に基づいて詳細に説明する。
【実施例】
【０００９】
図１及び図２は、本発明による撹拌機１を円形発酵槽２に適用した実施例で、この円形発酵槽２の中心側から周壁に向かって、第１〜第４の４機の縦型無端コンベア１Ａ〜１Ｄを並設し、これらを同時に循環させながら、全体を図２における時計方向又は反時計方向に旋回させて円形発酵槽２内の発酵処理物３を撹拌するようになっている。
【００１０】
第１の縦型無端コンベア１Ａは、それ以外の第２、第３、第４の縦型無端コンベア１Ｂ、１Ｃ、１Ｄと撹拌羽根の構造が違うが、機構は全てのコンベアについて同じであるため、代表として第１の縦型無端コンベア１Ａについて説明する。
【００１１】
縦型無端コンベア１Ａは、多数の撹拌羽根４を、それらの間に間隙５が形成されるように一対の無端チェーン６にて上下に等間隔に連接している。図３にこの縦型無端コンベア１Ａの拡大側面図を示し、図４にその一枚の撹拌羽根４の平面図、図５に一枚の撹拌羽根４の側面図を示す。
【００１２】
各撹拌羽根４は、断面逆Ｌ形の横長板７の水平部上に、多数の山形掻取片８を横長板７の長手方向に所定の間隔をおいて固定（溶接）したもので、横長板７の垂直部を、無端チェーン６を構成するチェーンリンク６ａに固着することにより、一対の無端チェーン６に水平に架設されている。このとき、撹拌羽根４を、無端チェーン６を構成するチェーンリンク６ａに対して１個１個ではなく、数個おきに架設することにより、上下に隣接する撹拌羽根４間には、撹拌物である発酵処理物３の通過を許容する間隙５が形成されている。
【００１３】
このように撹拌羽根４間に間隙５を形成した縦型無端コンベア１Ａは、一対の無端チェーン６を、上側中央のスプロケットホイール９と、上側前方のスプロケットホイール１０と、上側後方のプロケットホイール１１と、下側の１個のスプロケットホイール１２とに掛け回され、コンベア前面部１ｆとコンベア後面部１ｂとの間に、下端に向かって幅狭になるコンベア空間１３を形成したまま循環する。なお、上側中央のスプロケットホイール９は、伸縮リンク機構１４により昇降可能となっている。
【００１４】
このような縦型無端コンベア１Ａが循環しながら進行すると、そのコンベア前面部１ｆでは、撹拌羽根４が山形掻取片８を下向にしたやや斜めの姿勢で順次下降し、コンベア後面部１ｂでは、これとは逆に、撹拌羽根４が山形掻取片８を上向にしたやや斜めの姿勢で順次上昇する。
【００１５】
従って、コンベア前面部１ｆでは、その前側の発酵処理物３が撹拌羽根４により掻き下げられるとともに、一部が撹拌羽根４の間の間隙５を通り抜けてコンベア空間１３に入り込む。ここに入った発酵処理物３は、コンベア前面部１ｆとコンベア後面部１ｂとの移送方向が逆であるため、掻き回される。一方、コンベア後面部１ｂでは、その後側の発酵処理物３が撹拌羽根４により掻き上げられるとともに、コンベア空間１３内の発酵処理物３が間隙５を通り抜けながら掻き上げられる。
【００１６】
なお、図３では、バクテリアを木チップ等に着床させた発酵床層３ａ上に発酵処理物３を撒布し、発酵処理物３を木チップ等と共に撹拌する場合を示している。
【００１７】
第１の縦型無端コンベア１Ａの撹拌羽根４は、図４及び図５に示したような構造であるが、第２、第３、第４の縦型無端コンベア１Ｂ、１Ｂ、１Ｄの撹拌羽根１５は、図６及び図７に示すように、矩形の板片の一つの角部を斜めに欠如して五角形状とした多数の掻取片１６を、垂直にして横長板１７の正面に所定の間隔で固着したもので、このような撹拌羽根１５の多数枚を、それらの間に間隙５が形成されるように一対の無端チェーン６にて上下に等間隔に連接したことは、第１の縦型無端コンベア１Ａと同じである。
【産業上の利用可能性】
【００１８】
上述の実施例では、本発明の撹拌機の全体を円形発酵槽２内で旋回させながら、縦型無端コンベア１Ａ〜１Ｄを循環させて発酵処理物３を撹拌する場合について説明したが、本発明による撹拌機は、円形以外の発酵槽で直進させる場合とか、発酵槽以外での撹拌にも使用できること言うまでもない。
【図面の簡単な説明】
【００１９】
【図１】本発明の撹拌機の使用例を示す全体の断面図である。
【図２】その平面図である。
【図３】第１の縦型無端コンベアの拡大側面図である。
【図４】その撹拌羽根の平面図である。
【図５】同じく側面図である。
【図６】第２、第３、第４の縦型無端コンベアの撹拌羽根の平面図である。
【図７】同じく側面図である。
【符号の説明】
【００２０】
１Ａ〜１Ｄ  第１〜第４の縦型無端コンベア
１ｆ  コンベア前面部
１ｂ  コンベア後面部
２  円形発酵槽
３  発酵処理物
４  撹拌羽根
５  間隙
６  無端チェーン
６ａ  チェーンリンク
７  横長板
８  山形掻取片
９〜１２  スプロケットホイール
１３  コンベア空間
１４  伸縮リンク機構
１５  撹拌羽根
１６  掻取片
１７  横長板
【図１】
2005349370.tif 000003
【図２】
2005349370.tif 000004
【図３】
2005349370.tif 000005
【図４】
2005349370.tif 000006
【図５】
2005349370.tif 000007
【図６】
2005349370.tif 000008
【図７】
2005349370.tif 000009